【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
モバイルデバイスの全地球的航法衛星システム（ＧＮＳＳ）受信機の電力消費を管理するための方法であって、
位置不確実性（ＰＵＮＣ）および時間不確実性（ＴＵＮＣ）に基づいて前記ＧＮＳＳ受信機のためのＧＮＳＳサーチウィンドウを導出することと、
前記ＧＮＳＳサーチウィンドウおよびＧＮＳＳ人工衛星（ＳＶ）からの信号を探索するために利用可能なリソースに基づいてＧＮＳＳ探索モードを選択することと、ここにおいて、前記ＧＮＳＳ探索モードと関連付けられるＧＮＳＳ探索の実行と関連付けられる推定される電力消費は前記ＧＮＳＳ受信機に対して指定される電力消費制限を超えない、
前記ＧＮＳＳ探索モードを使用して前記ＧＮＳＳ探索を行うことと、
前記ＧＮＳＳ探索の結果に少なくとも一部基づいて前記モバイルデバイスの位置を推定することとを備え、
前記電力消費制限が、前記ＧＮＳＳ受信機の予定電力と関連付けられ、前記予定電力は、前記ＧＮＳＳ受信機が所定の時間の期間にわたって消費し得る電力の推定量である、
前記ＧＮＳＳ探索モードを選択することが、前記ＧＮＳＳ受信機に対して指定される前記電力消費制限を超えるが前記ＧＮＳＳ受信機の前記予定電力を超えない推定された電力消費と関連付けられるＧＮＳＳ探索モードを選択することを備える、方法。
【請求項２】
前記モバイルデバイスの前記位置と関連付けられる前記ＰＵＮＣを決定することをさらに備え、
前記ＧＮＳＳサーチウィンドウおよびＳＶからの信号を探索するために利用可能な前記リソースに基づいて前記ＧＮＳＳ探索モードを選択することが、前記ＰＵＮＣに少なくとも一部基づいて前記ＧＮＳＳ探索モードを選択することを備える、請求項１に記載の方法。
【請求項３】
前記モバイルデバイスの前記位置を推定することが、前記ＧＮＳＳ探索の結果に少なくとも一部基づいて前記モバイルデバイスの前記位置を推定することを備える、請求項１に記載の方法。
【請求項４】
前記ＧＮＳＳ探索モードを選択することが、低不確実性モードおよび高不確実性モードから前記ＧＮＳＳ探索モードを選択することを備え、前記低不確実性モードがより短いサーチウィンドウおよびより高いデューティ比と関連付けられ、前記高不確実性モードがより長いサーチウィンドウおよびより低いデューティ比と関連付けられる、請求項１に記載の方法。
【請求項５】
前記ＧＮＳＳサーチウィンドウおよびＧＮＳＳ  ＳＶからの信号を探索するために利用可能な前記リソースに基づいて、前記低不確実性モードおよび前記高不確実性モードから前記ＧＮＳＳ探索モードを選択することが、センサデータ情報とＧＮＳＳ信号強度情報の少なくとも１つに基づいて前記低不確実性モードを選択することを備える、請求項４に記載の方法。
【請求項６】
前記ＧＮＳＳサーチウィンドウおよびＧＮＳＳ  ＳＶからの信号を探索するために利用可能な前記リソースに基づいて、前記低不確実性モードおよび前記高不確実性モードから前記ＧＮＳＳ探索モードを選択することが、
前記ＧＮＳＳサーチウィンドウが、ＧＮＳＳ  ＳＶからの信号を同時に探索するために利用可能な前記リソースよりも小さいかそれに等しいことに応答して、前記低不確実性モードを前記ＧＮＳＳ探索モードとして選択することと、
前記ＧＮＳＳサーチウィンドウが、ＧＮＳＳ  ＳＶからの信号を同時に探索するために利用可能な前記リソースよりも大きいことに応答して、前記高不確実性モードを前記ＧＮＳＳ探索モードとして選択することとを備える、請求項４に記載の方法。
【請求項７】
前記ＧＮＳＳ受信機において前記ＧＮＳＳサーチウィンドウをサポートするために必要とされる前記推定される電力消費が、ＧＮＳＳ  ＳＶからの信号を同時に探索するために利用可能な前記リソースを所定の閾値だけ超えていることに応答して、前記ＧＮＳＳ探索の結果を使用することなく前記モバイルデバイスの前記位置を推定することをさらに備える、請求項６に記載の方法。
【請求項８】
前記ＧＮＳＳ探索の結果を使用して前記モバイルデバイスの前記位置を推定することがさらに、
前記ＧＮＳＳ受信機以外の位置関連情報の少なくとも１つの追加のソースから追加の位置推定情報を取得することと、
前記ＧＮＳＳ探索の前記結果と前記追加の位置推定情報とを使用して、前記モバイルデバイスの前記位置を推定することとを備える、請求項１に記載の方法。
【請求項９】
前記追加の位置推定情報が、前記モバイルデバイスに近接した少なくとも１つの地上ワイヤレス送受信機からの信号情報と、前記モバイルデバイスと関連付けられる少なくとも１つのモーションセンサからの信号情報との少なくとも１つを備える、請求項８に記載の方法。
【請求項１０】
前記ＧＮＳＳ受信機に対して指定される前記電力消費制限が、前記モバイルデバイス上で動作するアプリケーションから受け取られる、請求項１に記載の方法。
【請求項１１】
前記モバイルデバイス上で動作する前記アプリケーションが、前記モバイルデバイスのユーザから入力を受け取り、前記モバイルデバイスの前記ユーザからの前記入力に基づいて前記電力消費制限を設定するように構成される、請求項１０に記載の方法。
【請求項１２】
前記ＧＮＳＳ受信機に対して指定される前記電力消費制限が、前記モバイルデバイス上で動作する少なくとも１つのアプリケーションの精度の要求に基づいて、あるいは前記モバイルデバイスが外部電源から電力を受け取っているか、または前記モバイルデバイスと関連付けられるバッテリーから電力を受け取っているかに少なくとも一部基づいて、決定される、請求項１に記載の方法。
【請求項１３】
モバイルデバイスの全地球的航法衛星システム（ＧＮＳＳ）受信機の電力消費を管理するための装置であって、
位置不確実性（ＰＵＮＣ）および時間不確実性（ＴＵＮＣ）に基づいて前記ＧＮＳＳ受信機のためのＧＮＳＳサーチウィンドウを導出するための手段と、
前記ＧＮＳＳサーチウィンドウおよびＧＮＳＳ人工衛星（ＳＶ）からの信号を探索するために利用可能なリソースに基づいてＧＮＳＳ探索モードを選択するための手段と、ここにおいて、前記ＧＮＳＳ探索モードと関連付けられるＧＮＳＳ探索の実行と関連付けられる推定される電力消費は前記ＧＮＳＳ受信機に対して指定される電力消費制限を超えない、
前記ＧＮＳＳ探索モードを使用して前記ＧＮＳＳ探索を行うための手段と、
前記ＧＮＳＳ探索の結果を使用して前記モバイルデバイスの位置を推定するための手段とを備え、
前記電力消費制限が、前記ＧＮＳＳ受信機の予定電力と関連付けられ、前記予定電力は、前記ＧＮＳＳ受信機が所定の時間の期間にわたって消費し得る電力の推定量である、
前記ＧＮＳＳ探索モードを選択するための前記手段が、前記ＧＮＳＳ受信機に対して指定される前記電力消費制限を超えるが前記ＧＮＳＳ受信機の前記予定電力を超えない推定された電力消費と関連付けられるＧＮＳＳ探索モードを選択するように構成される、装置。
【請求項１４】
前記ＧＮＳＳ探索モードを選択するための前記手段が、低不確実性モードおよび高不確実性モードから前記ＧＮＳＳ探索モードを選択するための手段を備え、前記低不確実性モードがより短いサーチウィンドウおよびより高いデューティ比と関連付けられ、前記高不確実性モードがより長いサーチウィンドウおよびより低いデューティ比と関連付けられる、請求項１３に記載の装置。
【請求項１５】
モバイルデバイスの全地球的航法衛星システム（ＧＮＳＳ）受信機の電力消費を管理するためのコンピュータ可読命令を記憶した、非一時的コンピュータ可読媒体であって、コンピュータに、請求項１から１２のうちのいずれかのステップを実行させるように構成される命令を備える、非一時的コンピュータ可読媒体。